【手続補正書】
【提出日】平成19年2月15日(2007.2.15)
【手続補正１】
【補正対象書類名】明細書
【補正対象項目名】特許請求の範囲
【補正方法】変更
【補正の内容】
【特許請求の範囲】
【請求項１】
液体潤滑基剤と、液体潤滑基剤に溶解した異なる分子量の第１ポリマー及び第２ポリマーとを含む潤滑剤であって、第１ポリマ―は第２ポリマーよりも低分子量でありかつ第２ポリマーよりも高度に粘弾性であり、第２ポリマーは液体基剤とブレンドしたときに増粘性を有する、前記の潤滑剤。
【手続補正２】
【補正対象書類名】明細書
【補正対象項目名】００６４
【補正方法】変更
【補正の内容】
【００６４】
【数１１】
2002540287.tif 000001
［本発明の態様］
［１］ 液体潤滑基剤と、液体潤滑基剤に溶解した異なる分子量の第１ポリマー及び第２ポリマーとを含む潤滑剤であって、第１ポリマ―は第２ポリマーよりも低分子量でありかつ第２ポリマーよりも高度に粘弾性であり、第２ポリマーは液体基剤とブレンドしたときに増粘性を有する、前記の潤滑剤。
［２］ １．５〜１２ｃＳｔ（１００℃）の粘度を有する、少なくとも１種のポリアルファオレフィン（ＰＡＯ）を含む基剤、 第１ポリマーとしての、還元された金属触媒の存在下にアルファオレフィンの重合によって製造される、２０〜３０００ｃＳｔの粘度を有するポリマー（ＨＶＩ−ＰＡＯ）、及び 第２ポリマーとしての、少なくとも１０００００の分子量を有するポリマーを含む、１に記載の潤滑剤。
［３］ 基剤成分 ５０〜９０％、 ＨＶＩ−ＰＡＯ ０．１〜２０％、 １０００００〜１００００００の分子量を有するブロックコポリマーを含む第２ポリマー ０．１〜５％を含む、２に記載の潤滑剤。
［４］ 基剤成分がＰＡＯ及びエステルを含む、３に記載の潤滑剤。
［５］ 基剤成分がＰＡＯ及びアルキル化芳香族化合物を含む、３に記載の潤滑剤。
［６］ 合成エンジン油であって、 １．５〜１２ｃＳｔ（１００℃）の粘度を有し、かつ１．５〜１２ｃＳｔ（１００℃）を有する少なくとも１種のポリアルファオレフィン（ＰＡＯ）を含む、液体潤滑基剤、 液体潤滑基剤中に溶解されている、異なる分子量の第１ポリマーと第２ポリマー、 還元金属触媒の存在下でアルファオレフィンの重合によって製造される、２０〜３０００ｃＳｔの粘度及び第２ポリマーよりも小さい分子量及び第２ポリマーよりも高い粘弾性を有するポリマーを含む、第１ポリマー（ＨＶＩ−ＰＡＯ）、及び 液体基剤とブレンドしたときに粘度を増す性質を有する第２ポリマーを含む合成エンジン油。
［７］ 基剤成分 ５０〜９０％、 ４０〜１０００ｃＳｔ（１００℃）の粘度を有するＨＶＩ−ＰＡＯ ０．１〜２０％、 １０００００〜１００００００の分子量を有すブロックコポリマーを含む第２ポリマー ０．１〜５％を含む、６に記載のエンジン油。
［８］ 基剤成分がＰＡＯ及びエステルを含む、７に記載のエンジン油。
［９］ 基剤成分がＰＡＯ及びアルキル化芳香族化合物を含む、７に記載のエンジン油。
［１０］ ０Ｗの低温粘度等級を有し、そして １．５〜６ｃＳｔ（１００℃）の粘度を有する少なくとも１種のポリアルファオレフィン（ＰＡＯ）を含む基剤成分 ６５〜９０％、 ＨＶＩ−ＰＡＯ ０．１〜２０％、及び １０００００〜１００００００の分子量を有するブロックコポリマーを含む第２ポリマー ０．１〜５％を含む、６に記載のエンジン油。
［１１］ ０Ｗ−２０の低温粘度等級を有し、そして １．５〜６ｃＳｔ（１００℃）の粘度を有する少なくとも１種のポリアルファオレフィン（ＰＡＯ）を含む基剤成分 ６５〜９０％、 ＨＶＩ−ＰＡＯ ０．１〜１０％、及び １０００００〜１００００００の分子量を有すブロックコポリマーを含む第２ポリマー ０．１〜１％を含む、１０に記載のエンジン油。
［１２］ ２０以上の高温粘度等級を有し、ＡＳＴＭシーケンスＶＥテスト（ASTM Sequence VE Test）に合格する、１０に記載のエンジン油。
［１３］ ＡＳＴＭシーケンスＶＥテストに合格する、１１に記載のエンジン油。
［１４］ ０Ｗ−３０の粘度等級を有し、そして １．５〜６ｃＳｔ（１００℃）の粘度を有する少なくとも１種のポリアルファオレフィン（ＰＡＯ）を含む基剤成分 ６５〜９０％、 ＨＶＩ−ＰＡＯ ０．１〜１０％、及び １０００００〜１００００００の分子量を有するブロックコポリマーを含む第２ポリマー ０．１〜５％を含む、１０に記載のエンジン油。
［１５］ ＡＳＴＭシーケンスＶＥテストに合格する、１４に記載のエンジン油。
［１６］ ０Ｗの低温粘度等級及び少なくとも５０の高温粘度等級を有し、そして １．５〜６ｃＳｔ（１００℃）の粘度を有する少なくとも１種のポリアルファオレフィン（ＰＡＯ）を含む基剤成分 ６５〜９０％、 ＨＶＩ−ＰＡＯ ０．１〜２０％、及び １０００００〜１００００００の分子量を有するブロックコポリマーを含む第２ポリマー ０．１〜５％を含む、１０に記載のエンジン油。
［１７］ ０Ｗ−７０の粘度等級を有し、そして １．５〜６ｃＳｔ（１００℃）の粘度を有する少なくとも１種のポリアルファオレフィン（ＰＡＯ）を含む基剤成分 ６５〜９０％、 ＨＶＩ−ＰＡＯ ０．１〜１５％、 １０００００〜１００００００の分子量を有するブロックコポリマーを含む第２ポリマー ０．５〜５％を含む、１０に記載のエンジン油。
［１８］ ０Ｗ−８０の粘度等級を有し、 １．５〜６ｃＳｔ（１００℃）の粘度を有する少なくとも１種のポリアルファオレフィン（ＰＡＯ）を含む基剤成分 ６５〜９０％、 ＨＶＩ−ＰＡＯ ０．１〜１５％、及び １０００００〜１００００００の分子量を有するブロックコポリマーを含む第２ポリマー １〜５％を含む、１０に記載のエンジン油。
［１９］ ０Ｗ−９０の粘度等級を有し、そして １．５〜６ｃＳｔ（１００℃）の粘度を有する少なくとも１種のポリアルファオレフィン（ＰＡＯ）を含む基剤成分 ６５〜９０％、 ＨＶＩ−ＰＡＯ ０．１〜１５％、及び １０００００〜１００００００の分子量を有するブロックコポリマーを含む第２ポリマー １．５〜５％を含む、１０に記載のエンジン油。
［２０］ ０Ｗ−１００の粘度等級を有し、そして １．５〜６ｃＳｔ（１００℃）の粘度を有する少なくとも１種のポリアルファオレフィン（ＰＡＯ）を含む基剤成分 ６５〜９０％、 ＨＶＩ−ＰＡＯ ０．１〜１５％、 １０００００〜１００００００の分子量を有するブロックコポリマーを含む第２ポリマー ２〜５％を含む、１０に記載のエンジン油。
［２１］ ５Ｗの低温粘度等級及び少なくとも５０の高温粘度等級を有し、そして １．５〜８ｃＳｔ（１００℃）の粘度を有する少なくとも１種のポリアルファオレフィン（ＰＡＯ）を含む基剤成分 ５５〜７０％、 ＨＶＩ−ＰＡＯ ０．１〜２０％、 １０００００〜１００００００の分子量を有するブロックコポリマーを含む第２ポリマー ０．１〜５％を含む、１０に記載のエンジン油。
［２２］ １０Ｗの低温粘度等級及び少なくとも６０の高温粘度等級を有し、 １．５〜１０ｃＳｔ（１００℃）の粘度を有する少なくとも１種のポリアルファオレフィン（ＰＡＯ）を含む基剤成分 ５５〜７０％、 ＨＶＩ−ＰＡＯ ０．１〜２０％、及び １０００００〜１００００００の分子量を有するブロックコポリマーを含む第２ポリマー ０．１〜５％を含む、１０に記載のエンジン油。
［２３］ ３％未満の、１．０分での最大空気混入（ＡＳＴＭ Ｄ３４２７）を有する、１に記載の潤滑剤。
［２４］ ３％未満の、１．０分での最大空気混入（ＡＳＴＭ Ｄ３４２７）を有する、６に記載の合成エンジン油。